(57)【要約】      （修正有）【課題】解体後の積み重ね収納が可能で、収納後のスペースの占める割合を大幅に減らすアウトドア用折り畳み式バーベキューコンロを提供する。【解決手段】アウトドア用折り畳み式バーベキューコンロは、焼き網１と、炭置きと、灰受け皿３と、ヒンジ部材４を介して互いに結合された少なくとも３つの支持風防板５と、を備え、頭尾にある支持風防板の縁端に受金部及び掛金部が各々設けられ、掛金部は受金部に位置合わせて掛合して、支持風防板で中空かつ逆円錐台形状のバケツ体を画成させ、焼き網、炭置き及び灰受け皿が上から下の順にバケツ体の空洞部に着脱可能に取り付けられる。焼き網、炭置き、灰受け皿及び複数の支持風防板を個別に組み立てて形成でき、複数の支持風防板の結合は、ヒンジ部材で結合されることにより、相互間を回転させることができ、複数の支持風防板の間の折り畳み、積み重ねができる。【選択図】図１
0003234477.tif 000002
【実用新案登録請求の範囲】
【請求項１】
アウトドア用折り畳み式バーベキューコンロであって、焼き網と、炭置きと、灰受け皿と、ヒンジ部材を介して互いに結合された少なくとも３つの支持風防板と、を備え、頭尾にある前記支持風防板の縁端に受金部及び掛金部が各々設けられ、前記掛金部は前記受金部に位置合わせて掛合して、前記支持風防板で中空かつ逆円錐台形状のバケツ体を画成させ、前記焼き網、前記炭置き及び前記灰受け皿が上から下の順にバケツ体の空洞部に着脱可能に取り付けられることを特徴とする、アウトドア用折り畳み式バーベキューコンロ。
【請求項２】
前記焼き網は、少なくとも２つのグリルを互いにヒンジ結合してから成り、前記グリルの縁部に第１掛着部が設けられ、前記第１掛着部を介して支持風防板の頂部に掛止されることを特徴とする、請求項１に記載のアウトドア用折り畳み式バーベキューコンロ。
【請求項３】
前記炭置きは、少なくとも２つの中空板を互いにヒンジ結合してから成り、前記中空板の縁端に第２掛着部が設けられ、前記支持風防板に二組の掛着穴が設けられ、前記第２掛着部が前記掛着穴の一組と掛合することを特徴とする、請求項１に記載のアウトドア用折り畳み式バーベキューコンロ。
【請求項４】
前記灰受け皿は、自体の対称縁端に第３掛着部がヒンジ結合され、前記第３掛着部の頂端に逆フックが形成され、前記逆フックが別の組の前記掛着穴に掛着されることを特徴とする、請求項３に記載のアウトドア用折り畳み式バーベキューコンロ。
【請求項５】
前記ヒンジ部材に「Ｃ」字型を呈するヒンジ穴が設けられ、前記支持風防板の側端に逃げ部が設けられ、前記支持風防板のエッジが前記逃げ部の作用下で蝶番軸を形成し、前記蝶番軸が前記ヒンジ穴に位置合わせて係入されることで、ヒンジ連結構造を形成させることを特徴とする、請求項１に記載のアウトドア用折り畳み式バーベキューコンロ。
【請求項６】
前記支持風防板の下半分に中空部に設けられることを特徴とする、請求項４に記載のアウトドア用折り畳み式バーベキューコンロ。
【考案の詳細な説明】
【技術分野】
【０００１】
本考案は、アウトドア用バーベキューコンロの技術分野に関し、特に、アウトドア用折り畳み式バーベキューコンロに関する。
【背景技術】
【０００２】
衆所周知、アウトドア用バーベキューコンロは、野外で火を起こすためのツールであることが世間一般に広く知れ渡っており、主に焚付材（例えば薪、木炭）を入れるか、屋外の暖房、料理、バーベキューなどの用途を満たすために用いられる。ただし、アウトドア用バーベキューコンロは、一般的にアウトドアで使用されるため、焚火台にとって、火災防止の安全性、着脱しやすく、持ち運びに便利で調理機能を兼ね備えることを確保する必要がある。
【０００３】
ただし、現在のアウトドア用バーベキューコンロの多くは、構造が大きく、解体した後も全体の体積が大きすぎて収納に適さないことで、アウトドアでの持ち運びに不便であり、バーベキューの途中で炭を追加投入する際、いったん焼き網を外してから炭を追加投入する必要がある。これは焼き網に食べ物を置いたまま時、面倒臭いになる。かつ、使用途中での炭灰除去に非常に不便である。
【考案の概要】
【考案が解決しようとする課題】
【０００４】
本考案は、従来技術における上述の問題点の克服を意図しており、アウトドア用折り畳み式バーベキューコンロを提供することを目的とする。
【課題を解決するための手段】
【０００５】
上記目的を達成するために講じた本考案の技術的手段は次のとおりである。
アウトドア用折り畳み式バーベキューコンロであって、焼き網と、炭置きと、灰受け皿と、ヒンジ部材を介して互いに結合された少なくとも３つの支持風防板と、を備え、頭尾にある前記支持風防板の縁端に受金部及び掛金部が各々設けられ、前記掛金部は受金部に位置合わせて掛合して、前記支持風防板で中空かつ逆円錐台形状のバケツ体を画成させ、前記焼き網、炭置き及び灰受け皿が上から下の順にバケツ体の空洞部に着脱可能に取り付けられる。
【０００６】
好ましくは、前記焼き網は、少なくとも２つのグリルを互いにヒンジ結合してから成り、前記グリルの縁部に第１掛着部が設けられ、第１掛着部を介して支持風防板の頂部に掛止される。
【０００７】
好ましくは、前記炭置きは、少なくとも２つの中空板を互いにヒンジ結合してから成り、前記中空板の縁端に第２掛着部が設けられ、前記支持風防板に二組の掛着穴が設けられ、前記第２掛着部が掛着穴の一組と掛合する。
【０００８】
好ましくは、前記灰受け皿は、自体の対称縁端に第３掛着部がヒンジ結合され、前記第３掛着部の頂端に逆フックが形成され、前記逆フックが別の組の掛着穴に掛着される。
【０００９】
好ましくは、前記ヒンジ部材に「Ｃ」字型を呈するヒンジ穴が設けられ、前記支持風防板の側端に逃げ部が設けられ、前記支持風防板のエッジが逃げ部の作用下で蝶番軸を形成し、前記蝶番軸がヒンジ穴に位置合わせて係入されることで、ヒンジ連結構造を形成させる。
【００１０】
好ましくは、前記支持風防板の下半分に中空部に設けられる。
【考案の効果】
【００１１】
上記の技術的手段を用いるため、本考案は、以下の利点を有する。
１、焼き網、炭置き、灰受け皿及び複数の支持風防板を個別に組み立てて形成することで、解体後の積み重ね収納を満たし；
２、複数の支持風防板の結合は、ヒンジ部材で結合されることにより、相互間を回転させることができることから複数の支持風防板の間の折り畳み積み重ねを満たし、支持風防板の収納後のスペースの占める割合を大幅に減らし、更に全体的な収納スペースを減らし；
３、焼き網は、複数のグリルをヒンジ結合してから成り、炭置きが複数の中空板で構成されたため、収納上において、再び折り畳むことができ、更に焼き網及び炭置きに取られる面積を縮小し、収納により一層便利であり、グリルの間のヒンジ結合により、炭の追加投入必要がある時、焼き網全体を外す必要がなく、グリルの１つを上げるだけで炭を炭置き内に投入することができ、炭の随時補給に便利であり；
４、灰受け皿は、回転可能にヒンジ結合された第３掛着部を掛着穴に掛着して連結を形成し、灰受け皿内の炭灰を除去する必要がある時、工具を直接使用して中空部から取り除くことができ、同時にも灰受け皿を持ち上げ、次に第３掛着部の逆フックを掛着穴から外れ、第３掛着部を回転させることで、直接中空部から灰受け皿を取り出すことができる。
【図面の簡単な説明】
【００１２】
【図１】本考案の実施形態の構造原理の概略図である。
【図２】本考案の実施形態の構造分解図である。
【図３】本考案の実施形態の図１の部位Ａの部分的拡大図である。
【図４】本考案の実施形態のヒンジ部材の概略構成図である。
【図５】本考案の実施形態の折り畳み時状態図である。
【図６】本考案の実施形態の全体的に積み重ねた後の概略構成図である。
【考案を実施するための形態】
【００１３】
以下は、図面を参照しつつ本考案の実施形態を詳細に説明するが、本考案は実用新案登録請求の範囲によって特定及びカバーされる多種多様な異なる形態で実施することができる。
【００１４】
図１乃至図６に示すように、本実施形態で提供されるアウトドア用折り畳み式バーベキューコンロは、焼き網１と、炭置き２と、灰受け皿３と、ヒンジ部材４を介して互いに結合された少なくとも３つの支持風防板５と、を備え、頭尾にある前記支持風防板５の縁端に受金部６及び掛金部７が各々設けられ、前記掛金部７は受金部６に位置合わせて掛合して、前記支持風防板５で中空かつ逆円錐台形状のバケツ体を画成させ、前記焼き網１、炭置き２及び灰受け皿３が上から下の順にバケツ体の空洞部に着脱可能に取り付けられる。焼き網１、炭置き２、灰受け皿３及び複数の支持風防板５を個別に組み立てて形成することで、解体後の積み重ね収納を満たし、また掛着タイプを用いることで、構成要素の間の迅速な掛着を実現できる。
【００１５】
同時に、本実施形態の複数の支持風防板５の結合は、ヒンジ部材４で結合されることにより、相互間を回転させることができることから複数の支持風防板５の間の折り畳み積み重ねを満たし、支持風防板５の収納後のスペースの占める割合を大幅に減らし、更に全体的な収納スペースを減らす。ヒンジ部材４の場合、ヒンジ部材４に「Ｃ」字型を呈するヒンジ穴８が設けられ、前記支持風防板５の側端に逃げ部が設けられ、前記支持風防板５のエッジが逃げ部の作用下で蝶番軸を形成し、前記蝶番軸がヒンジ穴８に位置合わせて係入されることで、ヒンジ連結構造を形成させる。
【００１６】
さらに、前記焼き網１は、少なくとも２つのグリル９を互いにヒンジ結合してから成り、前記グリル９の縁部に第１掛着部１０が設けられ、第１掛着部１０を介して支持風防板５の頂部に掛止される。前記炭置き２は、少なくとも２つの中空板１１を互いにヒンジ結合してから成り、前記中空板１１の縁端に第２掛着部１２が設けられ、前記支持風防板５に二組の掛着穴１３が設けられ、前記第２掛着部１２が掛着穴１３の一組と掛合する。したがって、本実施形態の場合、焼き網１は、複数のグリル９をヒンジ結合してから成り、炭置き２が複数の中空板１１で構成されたため、収納上において、再び折り畳むことができ、更に焼き網１及び炭置き２に取られる面積を縮小し、収納により一層便利であり、グリル９の間のヒンジ結合により、炭の追加投入必要がある時、焼き網１全体を外す必要がなく、グリル９の１つを上げるだけで炭を炭置き２内に投入することができ、炭の随時補給に便利である。
【００１７】
さらに、本実施形態の灰受け皿３は、自体の対称縁端に第３掛着部１３がヒンジ結合され、前記第３掛着部１３の頂端に逆フック１４が形成され、前記逆フック１４が別の組の掛着穴１２に掛着される。前記支持風防板５の下半分に中空部１５に設けられ、中空部１５が灰受け皿３に面する。灰受け皿３は、回転可能にヒンジ結合された第３掛着部１３を掛着穴１２に掛着して連結を形成し、灰受け皿３内の炭灰を除去する必要がある時、工具を直接使用して中空部１５から取り除くことができ、同時にも灰受け皿３を持ち上げ、次に第３掛着部１３の逆フックを掛着穴１２から外れ、第３掛着部１３を回転させることで、直接中空部１５から灰受け皿３を取り出すことができる。
【００１８】
なお、本考案では、好ましい実施形態を前述の通り開示したが、本考案の範囲を限定することを意図するものではなく、本考案の明細書及び図面の内容を利用して行われる均等な構造又は均等なプロセスの置換、或いは直接的又は間接的にその他の関連技術分野に運用されることは、同様に本考案の保護範囲内に含まれる。
【図１】
0003234477.tif 000003
【図２】
0003234477.tif 000004
【図３】
0003234477.tif 000005
【図４】
0003234477.tif 000006
【図５】
0003234477.tif 000007
【図６】
0003234477.tif 000008